(57)【要約】【課題】コンパクトなサイズでありながら、排ガスの偏流に起因する湿潤ダストの発生を十分に抑制できる乾式冷却装置及びこれを用いた排ガス冷却方法を提供する。【解決手段】本発明に係る乾式冷却装置は、溶融金属精錬炉からの排ガスを冷却するためのものであり、上方から下方に向かって延びる相当直径ｄの流路を有する撹拌部と、撹拌部との接合部から下方に向かうに従って流路断面が拡大するテーパ部と当該テーパ部との接合部から下方に延びる相当直径Ｄの直胴部とを有する冷却装置本体と、撹拌部とテーパ部との接合部よりも上方に距離Ｌ離れた位置に設けられている複数の撹拌用スプレーノズルと、直胴部内に設けられている複数の冷却用スプレーノズルと、冷却装置本体の下部に設けられた排気口とを備え、撹拌部の相当直径ｄ、直胴部の相当直径Ｄ及び距離Ｌが所定の条件を満たす。【選択図】図１
2014240508.tif 000002
【特許請求の範囲】
【請求項１】
溶融金属精錬炉からの排ガスを冷却するための乾式冷却装置であって、
前記排ガスを移送するダクトに接続されており上方から下方に向かって延びる相当直径ｄの流路を有する撹拌部と、
前記撹拌部との接合部から下方に向かうに従って流路断面が拡大するテーパ部と、前記テーパ部との接合部から下方に延びる相当直径Ｄの直胴部とを有する冷却装置本体と、
前記撹拌部の前記流路内であって前記撹拌部と前記テーパ部との接合部よりも上方に距離Ｌ離れた位置に設けられており、前記排ガスに向けて水を噴射する複数の撹拌用スプレーノズルと、
前記直胴部内の前記テーパ部との接合部近傍に設けられており、前記冷却装置本体内の前記排ガスに向けて水を噴射する複数の冷却用スプレーノズルと、
前記冷却装置本体の下部に設けられた排気口と、
を備え、
前記撹拌部の相当直径ｄ（単位：ｍ）、前記直胴部の相当直径Ｄ（単位：ｍ）及び前記距離Ｌ（単位：ｍ）が式（１）及び式（２）で表される条件を満たす乾式冷却装置。
０．５８≦ｄ／Ｄ＜１．０  …（１）
０．４４≦Ｌ／Ｄ＜１．５  …（２）
【請求項２】
前記複数の撹拌用スプレーノズルは前記撹拌部の前記流路の内面に周方向に並んで配置されており、前記流路の中心方向に向けられている、請求項１に記載の乾式冷却装置。
【請求項３】
前記撹拌用スプレーノズル及び前記冷却用スプレーノズルは、単位時間当たりに噴射する水量を変更可能である、請求項１又は２に記載の乾式冷却装置。
【請求項４】
前記撹拌用スプレーノズルは、水のみが噴射される一流体スプレーノズルである、請求項１〜３のいずれか一項に記載の乾式冷却装置。
【請求項５】
前記冷却用スプレーノズルは、水のみが噴射される一流体スプレーノズルである、請求項１〜４のいずれか一項に記載の乾式冷却装置。
【請求項６】
請求項１〜５のいずれか一項に記載の乾式冷却装置を用いて溶融金属精錬炉からの排ガスを冷却する方法であり、
前記撹拌用スプレーノズルから水を噴射することによって前記排ガスを撹拌するとともに、前記冷却用スプレーノズルから水を噴射することによって前記冷却装置本体内の前記排ガスを乾式冷却する、排ガス冷却方法。
【請求項７】
前記撹拌用スプレーノズル及び前記冷却用スプレーノズルから噴射する単位時間当たりの水量の合計量Ｗと、前記撹拌用スプレーノズルから噴射する単位時間当たりの水量ｗＡとの比（ｗＡ／Ｗ）は式（３）で表される条件を満たす、請求項６に記載の排ガス冷却方法。
０．１≦ｗＡ／Ｗ≦０．２  …（３）
【請求項８】
前記直胴部の下端断面における温度分布をシミュレーションによって解析し、当該下端断面の位置において水滴が残らない温度の標準偏差の上限値σＭＡＸを求める工程と、
前記排ガスの温度又は流量の変動に伴って前記撹拌用スプレーノズル及び前記冷却用スプレーノズルから噴射する水量を変更する際、変更予定の条件で前記直胴部の下端断面における温度分布をシミュレーションによって解析して当該下端断面の位置における温度の標準偏差の値σを求める工程と、
下記式（４）で定義される偏流度が１以下となるように、前記撹拌用スプレーノズル及び前記冷却用スプレーノズルから噴射する水量を設定する工程と、
を更に備える、請求項６又は７に記載の排ガス冷却方法。
偏流度＝σ／σＭＡＸ  …（４）
【請求項９】
前記溶融金属精錬炉と前記乾式冷却装置とを接続する前記ダクトは、前記溶融金属精錬炉の炉口付近から上方に延びる部分と、前記乾式冷却装置の前記撹拌部に接続するために排ガスの流れを上向きから下向きに変える湾曲部とを有し、
前記複数の撹拌用スプレーノズルのうち前記湾曲部の外周側に相当する位置のノズルから噴射する水量を、前記湾曲部の内周側に相当する位置のノズルから噴射する水量よりも多くする、請求項６〜８のいずれか一項に記載の排ガス冷却方法。
【発明の詳細な説明】
【技術分野】
【０００１】
本発明は溶融金属精錬炉からの排ガスを冷却するための乾式冷却装置及びこれを用いた排ガス冷却方法に関する。
【背景技術】
【０００２】
転炉は銑鉄を鋼に転換するための炉であり、溶融金属精錬炉の一種である。転炉からはダストを含む高温のガスが排出される。高温の排ガスは、ボイラによる熱回収、冷却塔における水の噴射による冷却などの処理を経て集塵装置に導入され、ダストが取り除かれる。
【０００３】
転炉と冷却塔とは排ガスを移送するためのダクトで接続されている。このダクトは、レイアウト上、曲管である必要があり、転炉の炉口付近から上方に延びる部分と、冷却塔に接続するために排ガスの流れを上向きから下向きに変える湾曲部とを有する。湾曲部を排ガスが通過すると、湾曲部の外側（アウトコース側）で排ガスの速度が高く、湾曲部の内側（インコース側）で排ガスの速度が低いという偏流が生じやすい。
【０００４】
特許文献１は排ガスの偏流を抑えながら、排ガスと冷却水との熱交換を効率よく行わせるための整流装置を開示する。特許文献１の図１を参照すると、冷却塔３の頂部にダクト５が設けられており、このダクト５は冷却塔の頂部から鉛直上方に延びる鉛直部６と、鉛直部６の側面に鋭角に接続された傾斜部７とを備える。
【先行技術文献】
【特許文献】
【０００５】
【特許文献１】特開２０１１−２１８１０号公報
【発明の概要】
【発明が解決しようとする課題】
【０００６】
ところで、特許文献１の図１によると、冷却塔３の底部３ｃに貯留水４が収容されており、排出装置１３によって粗いダストが排出される。他方、胴部３ｂに設けられたガス排出管９から冷却されたガスが外に排出される。ガスと共にガス排出管９から排出される細かいダストを取り除くため、冷却塔３の下流側にフィルターを配置した場合、フィルターが目詰まりして集塵効率が低下する問題が生じやすい。これは、ガス排出管９の基端が胴部３ｂ内において貯留水４が収容された底部３ｃの直上であり且つ下方に向けて開口しており、湿潤ダスト及び水滴がガスと共にガス排出管９に流入し、これらが下流のフィルターに付着しやすいためである。
【０００７】
また特許文献１に記載の発明は、鋭角に折れ曲がる流路を有するダクト５を採用したことでダクトに整流機能を持たせるとともに冷却水の使用によって装置の小スペース化及び小型化を図っている。しかし、ダクト５内において排ガスの流れ方向が急激に変わるため、排ガスの圧力損失が大きくなりやすく、またダクト５内面へのダストの衝突によって摩耗が生じやすい。
【０００８】
本発明は、以上の課題に鑑みてなされたものであり、コンパクトなサイズでありながら、排ガスの偏流に起因する湿潤ダストの発生を十分に抑制できる乾式冷却装置及びこれを用いた排ガス冷却方法を提供することを目的とする。
【課題を解決するための手段】
【０００９】
本発明の乾式冷却装置は、溶融金属精錬炉からの排ガスを冷却するためのものであり、排ガスを移送するダクトに接続されており上方から下方に向かって延びる相当直径ｄの流路を有する撹拌部と、撹拌部との接合部から下方に向かうに従って流路断面が拡大するテーパ部と当該テーパ部との接合部から下方に延びる相当直径Ｄの直胴部とを有する冷却装置本体と、撹拌部の流路内であって撹拌部とテーパ部との接合部よりも上方に距離Ｌ離れた位置に設けられており、排ガスに向けて水を噴射する複数の撹拌用スプレーノズルと、直胴部内のテーパ部との接合部近傍に設けられており、冷却装置本体内の排ガスに向けて水を噴射する複数の冷却用スプレーノズルと、冷却装置本体の下部に設けられた排気口とを備え、撹拌部の相当直径ｄ（単位：ｍ）、直胴部の相当直径Ｄ（単位：ｍ）及び距離Ｌ（単位：ｍ）が式（１）及び式（２）で表される条件を満たす。
０．５８≦ｄ／Ｄ＜１．０  …（１）
０．４４≦Ｌ／Ｄ＜１．５  …（２）
【００１０】
ここでいう「相当直径」は下記式で定義される長さ（単位：ｍ）を意味し、式中、Ｓは流路断面積（ｍ２）を示し、Ｌは当該流路断面の縁の全長（ｍ）を示す。なお、撹拌部の流路の断面形状、及び、直胴部の断面形状は正円に限定されるものではない。
相当直径＝４×Ｓ／Ｌ
【００１１】
上記乾式冷却装置によれば、撹拌部の流路の相当直径ｄが直胴部の相当直径Ｄよりも小さく（式（１））、このような比較的狭い空間である撹拌部内を流れる排ガスに向けて撹拌用スプレーノズルから水を噴射可能である。排ガスの冷却に水の気化熱を利用するため、装置をコンパクトなサイズにすることができる。
【００１２】
本発明者らは、本発明によって排ガスの偏流を解消できるメカニズムについて以下のとおり推察する。まず、高温の排ガスに撹拌用スプレーノズルから水を噴射すると撹拌部の流路内で液滴が気化して膨張する。比較的狭い撹拌部の流路内で発生した水蒸気は、排ガスの流れを乱す役割を果たす。この状態で流路を所定の距離にわたって流れることで（式（２））、排ガスの偏流が十分に解消されると推察される。
【００１３】
偏流が十分に解消された排ガスは、テーパ部を通過後、より広い空間である直胴部に流れ込む。直胴部において冷却用スプレーノズルから噴射する水によって所望の温度にまで排ガスを冷却することができる。直胴部に流入する排ガスは偏流が十分に解消されている。このため、冷却用スプレーノズルから噴射された水を十分に揮発させることができる。これに対し、仮に排ガスの偏流が十分に解消されていない状態で直胴部で水を噴射すると、理論上は噴射した水全量を気化可能な温度及び圧力条件であっても、例えば、排ガスの流速が高い領域は排ガス温度が高く、排ガスの速度が低い領域は排ガス温度が低いという状態が生じる。この場合、排ガス温度が低い領域では水が気化しなかったり水蒸気が凝縮して水滴が発生する。
【００１４】
上記複数の撹拌用スプレーノズルは撹拌部の流路の内面に周方向に並んで配置されており、流路の中心方向に向けられていることが好ましい。これにより、撹拌部の流路内を流れる排ガスに、複数の方向から水を噴射することができ、より確実に排ガスの偏流を解消できる。
【００１５】
上記撹拌用スプレーノズル及び上記冷却用スプレーノズルは、単位時間当たりに噴射する水量を変更可能であることが好ましい。これにより、排ガスの流量又は温度等の条件に応じて、適切な水量を噴射することができる。
【００１６】
上記撹拌用スプレーノズル及び上記冷却用スプレーノズルとしては、水のみが噴射される一流体スプレーノズルを用いることができる。水を噴射するために圧縮空気等の気体を用いずに水のみを噴射することで、水の噴射に伴って冷却装置内のガス量（水蒸気を除く）が増大することはなく、冷却装置をよりコンパクトにすることが可能である。
【００１７】
また、本発明は、上記乾式冷却装置を用いて溶融金属精錬炉からの排ガスを冷却する方法を提供する。この冷却方法では、撹拌用スプレーノズルから水を噴射することによって排ガスを撹拌するとともに、冷却用スプレーノズルから水を噴射することによって冷却装置本体内の排ガスを乾式冷却する。
【００１８】
上記冷却方法によれば、排ガスの偏流を十分に解消した状態で、排ガスを更に冷却するため、排ガスの偏流に起因する湿潤ダストの発生を十分に抑制することができる。
【００１９】
上記排ガス冷却方法においては、撹拌用スプレーノズル及び冷却用スプレーノズルから噴射する単位時間当たりの水量の合計量Ｗと、撹拌用スプレーノズルから噴射する単位時間当たりの水量ｗＡとの比（ｗＡ／Ｗ）は、式（３）で表される条件を満たすことが好ましい。撹拌用スプレーノズルから噴射する水量をこの範囲内に設定することにより、撹拌部において排ガスの偏流を十分に解消できるとともに、噴射されたミスト同士が衝突又は接触することによって液滴が成長し、これに伴って液滴の蒸発が阻害される現象を十分に防止できる。
０．１≦ｗＡ／Ｗ≦０．２  …（３）
【００２０】
上記排ガス冷却方法は、直胴部の下端断面における温度分布をシミュレーションによって解析し、当該下端断面の位置において水滴が残らない温度の標準偏差の上限値σＭＡＸを求める工程と、排ガスの温度又は流量の変動に伴って撹拌用スプレーノズル及び冷却用スプレーノズルから噴射する水量を変更する際、変更予定の条件で直胴部の下端断面における温度分布をシミュレーションによって解析して当該下端断面の位置における温度の標準偏差の値σを求める工程と、下記式（４）で定義される偏流度が１以下となるように、撹拌用スプレーノズル及び冷却用スプレーノズルから噴射する水量を設定する工程とを更に備えてもよい。
偏流度＝σ／σＭＡＸ  …（４）
【００２１】
偏流度が１となる運転条件をシミュレーションによって選出し、設定した条件で冷却を行うことによって、湿潤ダスト発生の有無の調査等をその都度行わなくても、湿潤ダストの発生を抑制した排ガスの冷却を安定的に行うことができる。
【００２２】
溶融金属精錬炉と乾式冷却装置とを接続するダクトが溶融金属精錬炉の炉口付近から上方に延びる部分と、乾式冷却装置の撹拌部に接続するために排ガスの流れを上向きから下向きに変える湾曲部とを有する場合、複数の撹拌用スプレーノズルのうち湾曲部の外周側に相当する位置のノズルから噴射する水量を、湾曲部の内周側に相当する位置のノズルから噴射する水量よりも多くすることが好ましい。
【００２３】
曲管のダクトを経由して冷却装置内に流れ込む排ガスのうち、湾曲部のアウトコース側を通過したガスは流速が高く、インコース側を通過したガスは流速が低いという偏った流れとなっている。このため、アウトコース側のガスはインコース側のガスよりも高い温度のまま冷却装置に導入されやすい。偏流に伴う温度不均一の状態をより確実に解消するには、撹拌用スプレーノズルから噴射される水の量を上記のように設定すればよい。すなわち、撹拌部内のより高温である側に多くの水を噴射し、より低温である側に噴射する水量を減らすことで、冷却装置内における湿潤ダスト及び水滴の発生をより確実に抑制できる。
【発明の効果】
【００２４】
本発明によれば、コンパクトなサイズでありながら、排ガスの偏流に起因する湿潤ダストの発生を十分に抑制することのできる乾式冷却装置及びこれを用いた排ガス冷却方法を提供することができる。
【図面の簡単な説明】
【００２５】
【図１】本発明に係る乾式冷却装置の一実施形態を模式的に示す正面図である。
【図２】図１に示す乾式冷却装置の撹拌部、テーパ部及び直胴部の内部構造を模式的に示す縦断面図である。
【図３】図１に示す乾式冷却装置の撹拌部の内部構造を模式的に示す横断面図である。
【図４】偏流度と撹拌部流路の相当直径ｄ（直胴部の相当直径Ｄ基準）との関係を示すグラフである。
【図５】偏流度と距離Ｌ（直胴部の相当直径Ｄ基準）との関係を示すグラフである。
【図６】偏流度と撹拌水量率との関係を示すグラフである。
【図７】直胴部下端断面の温度分布を示すシミュレーション結果であり、（ａ）は偏流度が１以下である場合の温度分布図であり、（ｂ）は偏流度が１を超える場合の温度分布図である。
【発明を実施するための形態】
【００２６】
以下図面を参照しながら、本発明の好適な実施形態について詳細に説明する。
【００２７】
＜乾式冷却装置＞
図１は、本発明に係る乾式冷却装置の一実施形態を模式的に示す正面図である。同図に示す乾式冷却装置５０は、転炉（溶融金属精錬炉）２０から排出される高温の排ガスを冷却するためのものであり、ダクト３０を介して転炉２０に係合されている。ダクト３０は、転炉２０の炉口付近から上方に延びる部分３０ａと、乾式冷却装置５０の撹拌部１に接続するために排ガスの流れを上向きから下向きに変える湾曲部３０ｂを有する。乾式冷却装置５０は、撹拌部１と、テーパ部３と、直胴部５とを備え、これらの構成が鉛直方向の上方から下方に向けて並ぶように配置されている。テーパ部３と直胴部５とによって冷却装置本体が構成されている。以下、各構成について説明する。
【００２８】
（撹拌部）
撹拌部１は、転炉２０からの高温の排ガスに水を噴射することによって排ガスを冷却するとともに、排ガスを撹拌して排ガスの偏流を解消するためのものである。撹拌部１は、その上端１ａがダクト３０に接合されており、下端１ｂがテーパ部３に接合されている。図２に示すように、撹拌部１の内部には上方から下方に鉛直方向に延びる排ガス用流路１ｃが設けられている。流路１ｃ内には複数の撹拌用スプレーノズル２が設けられている。
【００２９】
複数の撹拌用スプレーノズル２は、撹拌部１の流路１ｃ内の排ガスに向けて水を噴射するためのものである。図３は、撹拌部１の内部構造を模式的に示す横断面図である。６本の撹拌用スプレーノズル２は、流路１ｃ内面の周方向に等間隔に並んで配置されている。各撹拌用スプレーノズル２は、流路１ｃの中心方向に向けられている。液滴の残留を抑制するため、撹拌用スプレーノズル２としては放射状に水を噴射できるタイプのものを採用することが好ましい。
【００３０】
本実施形態においては、６本の撹拌用スプレーノズル２が等間隔に配置されているが任意の間隔で設けてもよい。また、後述の距離Ｌの条件を満たす範囲であれば、全ての撹拌用スプレーノズル２が同一平面上に存在していなくてもよく、異なる高さに設けられていてもよい。また、排ガスの偏流を解消できる限り、撹拌用スプレーノズル２の本数に制限はなく、２本以上であればよい。
【００３１】
撹拌用スプレーノズル２としては、水のみを噴射する一流体スプレーノズル、水を圧縮気体（例えば、圧縮空気）によって噴射する二流体スプレーノズル及びこれらを組み合わせて使用できる。これらのタイプのノズルのうち、一流体スプレーノズルを採用すれば、水の噴射に伴って乾式冷却装置５０内のガス量が増大せず、乾式冷却装置５０をよりコンパクトにすることが可能である。また、撹拌用スプレーノズル２としては、単位時間当たりに噴射する水量を調節できるものであることが好ましい。これにより、排ガスの温度又は流量の変化に応じて、適切な水量を噴射することができる。
【００３２】
（テーパ部）
テーパ部３は、撹拌部１と直胴部５とを接続するためのものであり、直胴部５とともに冷却装置本体部を構成する。テーパ部３は、撹拌部１と上端が接合し、下端が直胴部５と接合している。テーパ部３は、撹拌部１との接合部３ａから下方に向かうに従って断面積が拡大する流路３ｂを内部に有する（図２参照）。流路３ｂの上端断面は撹拌部１の下端断面と一致し、下端断面は直胴部５の上端断面と一致している。
【００３３】
（直胴部）
直胴部５は、テーパ部３からの排ガスを冷却するためのものであり、上方から下方に鉛直方向に延びる内壁５ａを有する（図２参照）。直胴部５には収容する排ガスに向けて水を噴射して排ガスを冷却するための複数の冷却用スプレーノズル６が設けられている。複数の冷却用スプレーノズル６は、テーパ部３との接合部近傍に設けられている。なお、直胴部の長さ（テーパ部３との接合部５ｂから下端断面５ｃまでの距離）をＡとすると、冷却用スプレーノズル６は接合部５ｂからＡ／１０の距離の範囲に設けることが好ましく、Ａ／２０の距離の範囲に設けることが更に好ましい。このような高い位置に冷却用スプレーノズル６を設けることで、直胴部５内において排ガスを十分に冷却でき、また水滴が気化しないまま排気口８から排出されるのを十分に抑制できる。液滴を確実に気化させる観点から、直胴部５における排ガス（気化した水蒸気も含む）の滞留時間は好ましくは３〜１５秒であり、より好ましくは５〜１０秒である。
【００３４】
単位時間あたりに処理すべき排ガス量及び排ガス温度等にもよるが、直胴部５の長さＡは１０〜２０ｍ程度とすればよく、また相当直径Ｄは４〜１１ｍ程度とすればよい。
【００３５】
８本の冷却用スプレーノズル６は、直胴部５の内面の周方向に等間隔に並んで配置されている。各冷却用スプレーノズル６は、直胴部５の軸線ＣＬ方向に向けられており、液滴の残留を抑制するため、冷却用スプレーノズル６としては放射状に水を噴射できるタイプのものを採用することが好ましい。
【００３６】
冷却用スプレーノズル６としては、水のみを噴射する一流体スプレーノズル又は水を圧縮気体（例えば、圧縮空気）によって噴射する二流体スプレーノズルを使用できる。これらのタイプのノズルのうち、一流体スプレーノズルを採用すれば、水の噴射に伴って乾式冷却装置５０内のガス量が増大せず、乾式冷却装置５０をよりコンパクトにすることが可能である。また、冷却用スプレーノズル６としては、単位時間当たりに噴射する水量を調節できるものであることが好ましい。これにより、排ガスの温度又は流量の変化に応じて、適切な水量を噴射することができる。
【００３７】
本実施形態においては、８本の冷却用スプレーノズル６が等間隔に配置されているが任意の間隔で設けてもよい。また、偏流を生じさせることなく、十分に排ガスを冷却できる限り、冷却用スプレーノズル６の本数に制限はなく、２本以上であればよい。
【００３８】
直胴部５の下端には下側テーパ部９が設けられている。下側テーパ部９の側面に排気口８が設けられており、冷却された排ガスを排出できるようになっている。なお、下側テーパ部９の下端にはダスト排出装置（不図示）が設けられている。排気口８を出た排ガスは、乾式冷却装置５０の下流側に配置された集塵装置（不図示）に送られる。
【００３９】
（シミュレーションによる条件設定）
本実施形態において、図２に示す撹拌部１の相当直径ｄ（単位：ｍ）、直胴部５の相当直径Ｄ（単位：ｍ）及び距離Ｌ（単位：ｍ）は、式（１）及び式（２）で表される条件を満たす。これらの条件はシミュレーションによる解析によって求められた条件である。なお、距離Ｌは、撹拌用スプレーノズル２が設けられた位置から撹拌部１とテーパ部３との接合部３ａまでの距離を意味する。なお、複数の撹拌用スプレーノズル２が互いに異なる高さに設けられている場合、距離Ｌは最も低い位置に設けられたスプレーノズル２から接合部３ａまでの距離を意味する。
０．５８≦ｄ／Ｄ＜１．０  …（１）
０．４４≦Ｌ／Ｄ＜１．５  …（２）
【００４０】
図４は、偏流度と、撹拌部１の流路１ｃの相当直径ｄ（直胴部５の相当直径Ｄ基準）との関係を示すグラフであり、式（１）の条件の根拠となるシミュレーション結果をプロットしたものである。この条件は、撹拌部１の流路１ｃが直胴部５よりも細いことを意味する。図４のグラフに示すように、ｄ／Ｄの値が上記範囲であると、直胴部５の下端断面５ｃにおける偏流度を１以下とすることができる。なお、偏流度とは後述する方法によって算出される値であり、その値が１以下であるとき、直胴部５の下端断面５ｃ（図１のＡ−Ａ断面）において水滴が発生しないことを意味する。図４のハッチングを付した領域は液滴が発生しない許容領域を示す（図５，６も同様）。
【００４１】
ｄ／Ｄの値が０．５８未満であると、撹拌部１において排ガスの偏流を十分に解消できず、温度分布が不均一な排ガスがテーパ部３及び直胴部５に流入する。その結果、直胴部５内において液滴が完全に蒸発せず、湿潤ダストが発生する。他方、ｄ／Ｄの値が１を超えると、設備費用が増大する傾向となる。かかる観点から、ｄ／Ｄの値は、好ましくは０．５８〜０．９であり、より好ましくは０．５８〜０．８であり、更に好ましくは０．６〜０．７である。
【００４２】
図５は、偏流度とＬ／Ｄとの関係を示すグラフであり、式（２）の条件の根拠となるシミュレーション結果をプロットしたものである。この条件は、撹拌用スプレーノズル２から水が噴射された後の排ガスが所定の距離にわたって撹拌部１の流路１ｃを流れることを意味する。図５のグラフに示すように、Ｌ／Ｄの値が上記範囲であると、直胴部５の下端断面５ｃにおける偏流度を１以下とすることができる。
【００４３】
Ｌ／Ｄの値が０．４４未満であると、撹拌部１において排ガスの偏流を十分に解消できず、温度分布が不均一な排ガスがテーパ部３及び直胴部５に流入する。その結果、直胴部５内において液滴が完全に蒸発せず、湿潤ダストが発生する。Ｌ／Ｄの値は、好ましくは０．５〜１．４であり、より好ましくは０．６〜１．４である。なお、Ｌ／Ｄの値が１．５以上であると設備費用が増大する傾向となる。
【００４４】
（偏流度の算出方法）
偏流度は、次のようにして求められる値である。
（ｉ）直胴部５の下端断面５ｃの温度分布をシミュレーションによって解析し、当該断面５ｃの温度分布及びその標準偏差を求める。変動パラメータの値を変更しながら、複数回の計算を実行し、直胴部５の下端断面５ｃの位置において水滴が残らない上限の標準偏差の値σＭＡＸを求める。なお、この解析を行う際の変動パラメータは相当直径ｄ，Ｄ、距離Ｌ及びスプレーノズル２，６からそれぞれ噴射する水量等である。他方、固定パラメータは、ダクト３０からの排ガス温度及び流量、並びに、排気口８から排出する排ガス温度等である。
（ｉｉ）特定の条件（例えば、転炉２０を実際に運転した際に想定される条件）でシミュレーションソフトによる計算を実施し、直胴部５の下端断面５ｃの温度分布の標準偏差の値σを求める。この標準偏差σが上記σＭＡＸ以下である場合、すなわち、上記式（４）の定義により表される偏流度が１以下である場合に、直胴部５の下端断面に水滴は発生しない。
【００４５】
図７は、直胴部５の下端断面５ｃの温度分布を示すシミュレーション結果の一例である。図７の（ａ）は偏流度が１以下である場合の温度分布図であり、（ｂ）は偏流度が１を超える場合の温度分布図である。これらのシミュレーション解析は解析ソフトＦＬＵＥＮＴ６．３（アンシスジャパン株式会社製）を用いて実施したものである。直胴部５の下端断面５ｃにおける温度の平均値は湿潤ダストの発生を防止する観点から２００〜６００℃程度であることが好ましい。
【００４６】
＜排ガス冷却方法＞
次に、乾式冷却装置５０を用いて転炉２０からの排ガスを冷却する方法について説明する。
【００４７】
転炉２０からの高温の排ガスを、ダクト３０を経由して乾式冷却装置５０の撹拌部１に導入する。ダクト３０の湾曲部３０ｂを通過した排ガスは、流れが湾曲部３０ｂの外周側に偏った状態となっている。転炉２０からの排出ガスに対し、ダクト３０に導入する前、あるいは、ダクト３０で移送中にボイラー等によって熱回収を行ってもよい。撹拌部１に流入する排ガスの温度は、好ましくは５００〜１０００℃であり、より好ましくは５００〜８００℃である。この温度が１０００℃を超えると、大型の乾式冷却装置５０を要する傾向となる。
【００４８】
撹拌部１の流路１ｃ内において、排ガスに向けて複数の撹拌用スプレーノズル２から水を噴射する。これにより、排ガスの偏った流れを低減させるとともに、ある程度排ガスを冷却する。複数の撹拌用スプレーノズル２から単位時間あたりに噴射する水量は全て同じであってもよいし、互いに異なるように設定してもよい。排ガスの偏流をより確実に解消するため、噴射する水量を以下のように工夫してもよい。すなわち、湾曲部３０ｂの外周側に相当する位置に設けられている撹拌用スプレーノズル２Ｏから噴射する水の量を、内周側に相当する位置に設けられている撹拌用スプレーノズル２Ｉから噴射する水の量よりも多くしてもよい。このように、偏流に応じて噴射水量を位置によって調節することで、すなわち、流速が高いために高温のガスが流れやすい領域（図３中の領域ＲＯ）に多くの水を噴射し、流速が遅いために低温のガスが流れやすい領域（図３中の領域ＲＩ）については噴射する水の量を減らすことで、偏流に伴う温度差をより確実に解消できる。
【００４９】
より具体的には、図３に示すように、６つの撹拌用スプレーノズル２を採用した場合、各スプレーノズル２の単位時間当たりの噴射量の比率は例えば以下のように設定すればよい。
外周側のスプレーノズル２Ｏの噴射量：１．２〜１．８（例えば１．５）
内周側のスプレーノズル２Ｉの噴射量：０．３〜０．７（例えば０．５）
その他のスプレーノズル２の噴射量  ：１．０
【００５０】
撹拌部１の外周側の領域ＲＯに配置された複数の撹拌用スプレーノズル２の合計噴射量ｗＯと、撹拌部１の内周側の領域ＲＩに配置された複数の撹拌用スプレーノズル２の合計噴射量ｗＩとの比（ｗＯ／ｗＩ）は好ましくは１〜２であり、より好ましくは１．２〜１．８であり、より好ましくは１．３〜１．７である。なお、領域ＲＯと領域ＲＩのちょうど境界線上に撹拌用スプレーノズル２が設けられている場合は、当該スプレーノズル２の噴射量を二等分し、領域ＲＯ及び領域ＲＩにおける噴射量にそれぞれ加算すればよい。
【００５１】
複数の撹拌用スプレーノズル２から噴射される合計水量をｗＡとし、複数の冷却用スプレーノズル６から噴射される単位時間当たりの合計水量をｗＣとし、これらの合計量をＷ（＝ｗＡ＋ｗＣ）とすると、ｗＡとＷの比（ｗＡ／Ｗ）は式（３）で表される条件を満たすことが好ましい。
０．１≦ｗＡ／Ｗ≦０．２  …（３）
図６は、偏流度と撹拌水量率（ｗＡ／Ｗ×１００）との関係を示すグラフであり、式（３）の条件の根拠となるシミュレーション結果をプロットしたものである。撹拌水量率をこのように設定すると、撹拌部１において排ガスの偏流を十分に解消できる。そして、その後の直胴部５内における冷却処理を経ることで、直胴部５の下端断面５ｃを通過する排ガスの温度のバラツキを抑制でき、これにより湿潤ダストの発生を十分に抑制できる。
【００５２】
ｗＡ／Ｗの値が０．１未満であると、撹拌部１において排ガスの偏流を十分に解消できず、温度分布が不均一な排ガスがテーパ部３及び直胴部５に流入しやすい。その結果、直胴部５内において液滴が完全に蒸発せず、湿潤ダストが発生しやすい。他方、ｗＡ／Ｗの値が０．２を超えると、撹拌用スプレーノズル２から噴射されたミスト同士が衝突又は接触することによって液滴が成長し、これに伴ってミストの蒸発が阻害されるおそれがある。ｗＡ／Ｗの値は、より好ましくは０．１２〜０．２であり、更に好ましくは０．１５〜０．１８である。
【００５３】
撹拌部１の流路１ｃ内において偏流が十分に解消された排ガスは、テーパ部３を通過した後、より広い空間である直胴部５に導入される。直胴部５内において、排ガスに向けて冷却用スプレーノズル６から水を噴射することによって、排ガスを冷却する。直胴部５内においては噴射された液滴が排ガス中に十分均一に分散した後、排ガスの熱によって液滴が蒸発する。
【００５４】
乾式冷却装置５０で所定の温度にまで冷却された排ガスは、排気口８から次工程へと移送される。排気口８を出たガスは、十分に冷却されており、且つ湿潤ダスト及び水滴の発生が十分に抑えられているため、乾式集塵工程に供するのに適している。
【００５５】
乾式冷却装置５０の運転中において、偏流度を調節するため、撹拌用スプレーノズル２及び冷却用スプレーノズル６から噴射する水量を調節してもよい。乾式冷却装置５０に流入する排ガスの温度又は流量の変動に伴って、スプレーノズル２，６の噴水量を変更する場合、直胴部５から排出されるガスに湿潤ダスト又は液滴が発生しないように、以下のように予めシミュレーションによる解析を実施することが好ましい。まず、変更予定の任意の条件での直胴部５の下端断面５ｃにおける温度分布及びその標準偏差σをシミュレーションによって求める。この値から偏流度を算出し、偏流度が１を超えるか否かを判定する。このようにシミュレーションによる解析を行うことで、偏流度が１以下となるような噴射水量の条件を見つけ出すことができる。
【００５６】
上述のとおり、本実施形態によれば、偏流度が１以下となるように、撹拌用スプレーノズル２及び冷却用スプレーノズル６から噴射する水量の適切な条件を選出し、その条件で乾式冷却装置５０を運転できる。これにより、運転条件の変更時にも湿潤ダストの発生を抑制でき、集塵装置に悪影響を及ぼすことを十分に防止できる。
【００５７】
本実施形態によれば、排ガスの冷却のために水の気化熱を利用するため、乾式冷却装置５０を十分にコンパクトなサイズとすることができる。また、撹拌部１において排ガスの偏流を高度に解消でき、すなわち、排ガスの温度ムラが高度に解消された状態で直胴部５での冷却がなされるため、水蒸気の凝縮が生じないギリギリのレベルにまで直胴部５内において排ガスを冷却できる。
【００５８】
以上、本発明の好適な実施形態について詳細に説明したが、本発明は上記実施形態に限定されるものではない。例えば、上記実施形態においては、転炉からの排ガスを冷却する場合を例示したが、転炉以外の溶融金属精錬炉（例えば、アーク炉、脱リン炉等）からの排ガスの冷却に本発明を適用してもよい。
【００５９】
また、上記実施形態においては、排ガスが流れる流路（ダクト３０、撹拌部１の流路１ｃ、テーパ部３の流路３ｂ及び直胴部５）の断面がいずれも円形である場合を想定して説明したが、流路の断面形状は矩形、多角形、楕円形又はこれらの組み合わせであってもよい。
【符号の説明】
【００６０】
１…撹拌部、１ａ…撹拌部の上端、１ｂ…撹拌部の下端、１ｃ…撹拌部の流路、２…撹拌用スプレーノズル、２Ｉ…内周側の撹拌用スプレーノズル、２Ｏ…外周側の撹拌用スプレーノズル、３…テーパ部、３ａ…撹拌部との接合部、３ｂ…テーパ部の流路、５…直胴部、５ａ…内壁、５ｂ…テーパ部３との接合部、５ｃ…下端断面、６…冷却用スプレーノズル、８…排気口、９…下側テーパ部、２０…転炉（溶融金属精錬炉）、３０…ダクト、３０ａ…上方に延びる部分、３０ｂ…湾曲部、５０…乾式冷却装置、ＣＬ…直胴部の軸線、ＲＩ…内周側の領域、ＲＯ…外周側の領域。
【図１】
2014240508.tif 000003
【図２】
2014240508.tif 000004
【図３】
2014240508.tif 000005
【図４】
2014240508.tif 000006
【図５】
2014240508.tif 000007
【図６】
2014240508.tif 000008
【図７】
2014240508.tif 000009